【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
ガスタービンエンジンを光学的に監視するシステム（１０）であって、
前記ガスタービンエンジンの構成要素へのビューポート（４０）であって、前記構成要素と関連するケーシング内に配置された開口部を有し、前記ケーシングの内側から前記ケーシングの外側に延び、前記構成要素の内部から画像を受け取るように構成されたビューポート（４０）と、
第１軸端部（９０）と第２軸端部（９２）とを有する光学接続部（３８）であって、前記第１軸端部（９０）が前記ビューポート（４０）に光学的に結合され、前記ビューポート（４０）から前記画像を受け取るように構成され、前記光学接続部（３８）が、前記第１軸端部（９０）から前記第２軸端部（９２）までそれぞれ延びる複数の中空通路（１１０）を有する基体（１０８）を備え、前記中空通路（１１０）がそれぞれ前記中空通路（１１０）の内部表面に配置される反射コーティング（１１２）を含むことで、前記第１軸端部（９０）から前記第２軸端部（９２）まで前記画像の各部分を伝送しやすくする、光学接続部（３８）と、
前記光学接続部（３８）の前記第２軸端部（９２）と光学的に連通する検出器アレイ（４２）であって、前記検出器アレイ（４２）が複数の検出素子（１１４）を備え、前記複数の検出素子（１１４）が前記複数の中空通路（１１０）から前記画像の複数の部分をそれぞれ受け取るように構成され、前記検出器アレイ（４２）が前記画像の２次元強度マップを示す信号を出力するように構成されている、検出器アレイ（４２）と、
を備え、
前記光学接続部（３８）は、前記ビューポート（４０）と前記検出器アレイ（４２）との間を延び、前記ビューポート（４０）を前記検出器アレイ（４２）に光学的に結合し、前記ビューポート（４０）から前記検出器アレイ（４２）に前記画像を伝送し、
前記中空通路（１１０）のぞれぞれは、前記光学接続部（３８）の長さに沿って延びて、前記ビューポート（４０）から前記検出器アレイ（４２）への前記画像の各部分を伝送しやすくする、
システム（１０）。
【請求項２】
前記検出素子（１１４）はそれぞれ、前記複数の中空通路（１１０）の少なくとも１つのそれぞれの中空通路（１１０）と略一直線に並べられ、前記検出素子（１１４）はそれぞれ、前記少なくとも１つのそれぞれの中空通路（１１０）から前記画像の少なくとも１つのそれぞれの部分を受け取るように構成されている、請求項１に記載のシステム。
【請求項３】
前記基体（１０８）は略硬質材料から形成される、請求項１に記載のシステム。
【請求項４】
前記反射コーティング（１１２）が複数層の誘電体材料を備えることで、所望の波長範囲内の電磁放射を反射するように構成される誘電体鏡を形成する、請求項１に記載のシステム。
【請求項５】
前記複数の中空通路（１１０）の中空通路（１１０）は互いに略整列してコヒーレントな中空通路アレイを形成する、請求項１に記載のシステム。
【請求項６】
前記光学接続部（３８）の前記第１軸端部（９０）の第１面積（９４）が、前記光学接続部（３８）の前記第２軸端部（９２）の第２面積（９６）よりも小さい、請求項１に記載のシステム。
【請求項７】
前記ガスタービンエンジンの構成要素が燃焼器（１６）またはタービン（１８）を備える、請求項１に記載のシステム。
【請求項８】
前記システム（１０）が、前記ガスタービンエンジンの運転中に前記ガスタービンエンジンを監視するように構成されている、請求項１に記載のシステム。
【請求項９】
前記検出器アレイ（４２）を有する赤外線カメラ（８８）を備え、前記検出器アレイ（４２）が短波赤外線画像、中波赤外線画像、またはそれらの組み合わせを検出するように構成されている、請求項１に記載のシステム。
【請求項１０】
ガスタービンエンジンを光学的に監視するシステム（１０）であって、
前記ガスタービンエンジンのケーシング内に配置される開口部（９８）を有するビューポート（４０）であって、前記開口部（９８）が前記ケーシングの内側から前記ケーシングの外側に延び、前記ガスタービンエンジンの運転中に前記ビューポート（４０）が前記ケーシングの内側から画像を受け取るように構成されている、ビューポート（４０）と、
前記ケーシングの外側に配置され、第１軸端部（９０）と第２軸端部（９２）とを有する光学接続部（３８）であって、前記第１軸端部（９０）が前記ビューポート（４０）に光学的に結合され、前記ビューポート（４０）から前記画像を受け取るように構成され、前記光学接続部（３８）が、前記第１軸端部（９０）から前記第２軸端部（９２）までそれぞれ延びる複数の中空通路（１１０）を有する基体（１０８）を備え、前記中空通路（１１０）がそれぞれ、前記中空通路（１１０）の内部表面に配置される反射コーティング（１１２）を含むことで、前記第１軸端部（９０）から前記第２軸端部（９２）に前記画像の各部分を伝送しやすくする、光学接続部（３８）と、
前記光学接続部（３８）の前記第２軸端部（９２）と光学的に連通する検出器アレイ（４２）であって、前記検出器アレイ（４２）が複数の検出素子（１１４）を備え、前記複数の検出素子（１１４）が前記複数の中空通路（１１０）から前記画像の複数の部分をそれぞれ受け取るように構成され、前記検出器アレイ（４２）が前記画像の２次元強度マップを示す信号を出力するように構成されている、検出器アレイ（４２）と、
を備え、
前記光学接続部（３８）は、前記ビューポート（４０）と前記検出器アレイ（４２）との間を延び、前記ビューポート（４０）を前記検出器アレイ（４２）に光学的に結合し、前記ビューポート（４０）から前記検出器アレイ（４２）に前記画像を伝送し、
前記中空通路（１１０）のぞれぞれは、前記光学接続部（３８）の長さに沿って延びて、前記ビューポート（４０）から前記検出器アレイ（４２）への前記画像の各部分を伝送しやすくする、
るシステム。
【請求項１１】
前記検出器アレイ（４２）に通信接続される制御装置（４４）を備え、前記制御装置（４４）が前記信号に基づき前記ケーシング内側の表面の２次元温度マップを生成するように構成されている、請求項１０に記載のシステム。
【請求項１２】
前記検出器アレイ（４２）を有する赤外線カメラ（８８）を備え、前記検出器アレイ（４２）が短波赤外線画像、中波赤外線画像、またはそれらの組み合わせを検出するように構成されている、請求項１０に記載のシステム。
【請求項１３】
前記検出素子（１１４）がそれぞれ、前記複数の中空通路（１１０）の少なくとも１つのそれぞれの中空通路（１１０）と略一直線に並べられ、前記検出素子（１１４）がそれぞれ、前記少なくとも１つのそれぞれの中空通路（１１０）から前記画像の少なくとも１つのそれぞれの部分を受け取るように構成されている、請求項１０に記載のシステム。
【請求項１４】
前記反射コーティング（１１２）が複数層の誘電体材料を備えることで、所望の波長範囲内の電磁放射を反射するように構成される誘電体鏡を形成する、請求項１０に記載のシステム。
【請求項１５】
前記ケーシングが燃焼器ケーシング（８０）またはタービンケーシングを備える、請求項１０に記載のシステム。
【請求項１６】
ガスタービンエンジンの光学監視システム（３６）を製造する方法であって、
光学接続部（３８）の第１軸端部（９０）を、前記ガスタービンエンジンの構成要素へのビューポート（４０）に光学的に結合し、前記ビューポート（４０）が、前記構成要素と関連するケーシング内に配置された開口部を有し、前記ケーシングの内側から前記ケーシングの外側に延び、前記構成要素の内部から画像を受け取るように構成され、前記光学接続部（３８）が前記ビューポート（４０）から前記画像を受け取るように構成され、前記光学接続部（３８）が、前記光学接続部（３８）の前記第１軸端部（９０）から第２軸端部（９２）までそれぞれ延びる複数の中空通路（１１０）を有する基体（１０８）を備え、前記中空通路（１１０）がそれぞれ、前記中空通路（１１０）の内部表面に配置される反射コーティング（１１２）を含むことで、前記第１軸端部（９０）から前記第２軸端部（９２）まで前記画像の各部分を伝送しやすくし、
前記光学接続部（３８）の前記第２軸端部（９２）を、複数の検出素子（１１４）を有する検出器アレイ（４２）に光学的に結合し、前記複数の検出素子（１１４）が前記複数の中空通路（１１０）から前記画像の複数の部分をそれぞれ受け取るように構成され、前記検出器アレイ（４２）が前記画像の２次元強度マップを示す信号を出力するように構成され、
前記光学接続部（３８）は、前記ビューポート（４０）と前記検出器アレイ（４２）との間を延び、前記ビューポート（４０）を前記検出器アレイ（４２）に光学的に結合し、前記ビューポート（４０）から前記検出器アレイ（４２）に前記画像を伝送し、
前記中空通路（１１０）のぞれぞれは、前記光学接続部（３８）の長さに沿って延て、前記ビューポート（４０）から前記検出器アレイ（４２）への前記画像の各部分を伝送しやすくする、
方法。
【請求項１７】
前記複数の中空通路（１１０）の中空通路（１１０）が互いに略整列して、コヒーレントな中空通路アレイを形成する、請求項１６に記載の方法。
【請求項１８】
前記基体（１０８）が略硬質材料から形成される、請求項１６に記載の方法。
【請求項１９】
前記光学接続部（３８）の前記第２軸端部（９２）の前記検出器アレイ（４２）への光学的結合が、前記検出素子（１１４）をそれぞれ前記複数の中空通路（１１０）の少なくとも１つのそれぞれの中空通路（１１０）と略一直線に並べることで、前記検出素子（１１４）がそれぞれ、前記少なくとも１つのそれぞれの中空通路（１１０）から前記画像の少なくとも１つのそれぞれの部分を受け取るようにすることを備える、請求項１６に記載の方法。
【請求項２０】
前記光学監視システム（３６）が、前記ガスタービンエンジンの運転中に前記ガスタービンエンジンを監視するように構成されている、請求項１６に記載の方法。